(57)【要約】本発明は、心臓補助システム（１００）のポンプユニット（１１０）用の供給ライン（１０５）に関する。供給ライン（１０５）は、流体流を心臓補助システム（１００）のポンプユニット（１１０）に誘導するために具体化される。供給ライン（１０５）は、流体流を供給ライン（１０５）に導入するための少なくとも一つの導入開口部（１４０）を有する供給ヘッド部分（１３０）と、内面輪郭を有する輪郭付けされた部分（１３５）とを備える。輪郭付けされた部分（１３５）は、供給ヘッド部分（１３０）に隣接して配置される。第一の位置における輪郭付けられた部分（１３５）の内径は、第二の位置における内径よりも大きい。内面輪郭は、第二の位置に内径を低減するための丸みを帯びた部分を有する。【選択図】図１
2021531148.tif 000002
【特許請求の範囲】
【請求項１】
心臓補助システム（１００）のポンプユニット（１１０）用の供給ライン（１０５）であって、前記供給ライン（１０５）が流体流を前記心臓補助システム（１００）の前記ポンプユニット（１１０）に導くように構成され、前記供給ライン（１０５）が、
前記流体流を前記供給ライン（１０５）に導入するための少なくとも一つの導入開口部（１４０）を有する供給ヘッド部分（１３０）と、
内面輪郭（２０５）を有する輪郭付けられた部分（１３５）であって、前記輪郭付けられた部分（１３５）が前記供給ヘッド部分（１３０）に隣接して配置され、第一の位置（２１５）における前記輪郭付けられた部分（１３５）の内径（２１０）が、第二の位置（２２０）における前記内径（２１０）よりも大きく、前記内面輪郭（２０５）が、前記第二の位置（２２０）に前記内径（２１０）を低減するための丸みを帯びた部分（２２５）を有する、輪郭付けられた部分（１３５）と、を有する、供給ライン（１０５）。
【請求項２】
第三の位置（２３５）における前記輪郭付けられた部分（１３５）の前記内径（２１０）が、前記第二の位置（２２０）における前記内径（２１０）よりも大きく、特に、前記第二の位置（２２０）が前記第三の位置（２３５）と前記第一の位置（２１５）との間に位置する、請求項１に記載の供給ライン（１０５）。
【請求項３】
前記第一の位置（２１５）が、前記供給ヘッド部分（１３０）と前記第二の位置（２２０）との間の前記輪郭付けられた部分（１３５）に位置する、請求項１または２のいずれか一項に記載の供給ライン（１０５）。
【請求項４】
前記輪郭付けられた部分（１３５）の長さが、前記輪郭付けられた部分（１３５）の前記内径（２１０）の最大二倍に対応し、特に、前記輪郭付けられた部分（１３５）の前記長さが、公差範囲内の前記供給ライン（１０５）の半径に対応する、請求項１〜３のいずれか一項に記載の供給ライン（１０５）。
【請求項５】
前記第二の位置（２２０）における前記輪郭付けられた部分（１３５）の内径が、前記第一の位置（２１５）における前記内径よりも最大五分の一小さい、請求項１〜４のいずれか一項に記載の供給ライン（１０５）。
【請求項６】
前記内面輪郭（２０５）が回転対称に形成される、請求項１〜５のいずれか一項に記載の供給ライン（１０５）。
【請求項７】
前記第一の位置（２１５）における前記輪郭付けられた部分（１３５）の壁厚が、前記第二の位置（２２０）における前記壁厚よりも小さい、および／または前記内面輪郭（２０５）が前記輪郭付けられた部分（１３５）の挿入要素（８０５、８１０）として構成される、請求項１〜６のいずれか一項に記載の供給ライン（１０５）。
【請求項８】
前記供給ヘッド部分（１３０）の前記導入開口部（１４０）の少なくとも一つの入口縁が丸みを帯びている、請求項１〜７のいずれか一項に記載の供給ライン（１０５）。
【請求項９】
前記輪郭付けられた部分（１３５）が一定の外径（２４５）を有する、請求項１〜８のいずれか一項に記載の供給ライン（１０５）。
【請求項１０】
請求項１〜９のいずれか一項に記載の供給ライン（１０５）を有する心臓補助システム（１００）。
【請求項１１】
心臓補助システム（１００）のポンプユニット（１１０）用の供給ライン（１０５）を製造するための方法（９００）であって、前記供給ライン（１０５）が、流体流を前記心臓補助システム（１００）の前記ポンプユニット（１１０）に導くように構成され、前記方法（９００）が、
前記流体流を前記供給ライン（１０５）に導入するための少なくとも一つの導入開口部（１４０）を有する供給ヘッド部分（１３０）および内部輪郭（２０５）を有する輪郭付けられた部分（１３５）を形成する工程（９０１）であって、前記輪郭付けられた部分（１３５）を前記供給ヘッド部分（１３０）に隣接して配置し、第一の位置（２１５）における前記輪郭付けられた部分（１３５）の内径（２１０）が、第二の位置（２２０）における前記内径（２１０）よりも大きく、前記内面輪郭（２０５）が、前記第二の部分（２２０）に前記内径（２１０）を低減するための丸みを帯びた部分（２２５）を有するように形成する工程（９０１）を含む、方法（９００）。
【発明の詳細な説明】
【技術分野】
【０００１】
本発明は、独立特許請求項に記載のタイプの心臓補助システムのポンプユニット用の供給ライン、心臓補助システム、および心臓補助システムのポンプユニット用の供給ラインを製造するための方法に関する。
【背景技術】
【０００２】
心臓ポンプは、ポンプユニットと、ポンプユニットに血流を供給するための入口ホースとを含み得る。心臓ポンプは、ポンプユニットの領域における血液損傷（溶血）を防止または低減する構造をさらに含み得る。米国特許出願公開２０１７／０８７２８８号明細書は、溶血を低減し、および／または圧力損失を最小化するために、ポンプユニットの長さのトランペット形状の拡張を有するポンプユニットを記述する。
【０００３】
これに基づいて、本発明の根底にある目的は、コンパクトな設計で可能な限り高いポンプ効率を確保しつつ、当技術分野で公知のシステムおよび方法をさらに改善することである。
【０００４】
これを念頭に置いて、本明細書に提示したアプローチは、主要特許請求項に記載の心臓補助システムのポンプユニット用の供給ライン、心臓補助システム、および心臓補助システムのポンプユニット用の供給ラインを製造するための方法を導入する。独立特許請求項に特定されたデバイスの有利なさらなる開発および改善は、従属請求項に列挙された手段を使用して可能である。
【０００５】
このアプローチは、供給ラインの入口近くのセクションにおける内面輪郭によって供給ラインに導入される流体流の流れ挙動を設定する、心臓補助システムのポンプユニット用の供給ラインのための設計を提示する。流体流の流れ分離は有利なことに、内面輪郭の丸みを帯びた部分、例えば、部分的凹面、および追加的または代替的に凸面構成の助けを借りて低減、または完全に回避され得る。流体流を供給ラインに導くときの圧力損失は、流れ分離の低減または回避と共に減少し、このことは、心臓補助システムのポンプユニットの電力消費、したがってポンプ効率の点で有利である。内面輪郭の助けを借りた流れ分離の低減または回避は有利なことに、供給ラインのコンパクトな設計を可能にするが、このことは特に、低侵襲性移植、例えば、経大動脈移植または経大腿移植のための心臓補助システムに有利である。
【発明の概要】
【０００６】
本発明は、心臓補助システムのポンプユニット用の供給ラインを提示する。供給ラインは、流体流を心臓補助システムのポンプユニットに導くように構成される。供給ラインは、少なくとも一つの供給ヘッド部分および輪郭付けられた部分を備える。供給ヘッド部分は、流体流を供給ラインに導入するための少なくとも一つの導入開口部を備える。輪郭付けられた部分は、内面輪郭を有する。輪郭付けられた部分は、供給ヘッド部分に隣接して配置される。第一の位置における輪郭付けられた部分の内径は、第二の位置における内径よりも大きい。内面輪郭は、第二の位置に内径を低減するための丸みを帯びた部分を有する。
【０００７】
心臓補助システムは、例えば、左心室補助システム、右心室補助システム、または両室補助システムなどの心臓ポンプであってもよい。心臓補助システムは、例えば、低侵襲性移植のために設計され得る。供給ラインは、流体流を導くための流路として構成され得る。供給ラインはまた、ホースとして構成されてもよい。埋め込まれた状態にある心臓補助システムでは、供給ラインは、流体流として血流を心室から心臓補助システムのポンプユニットに導くように構成され得る。ポンプユニットは、例えば、マイクロ軸ポンプであってもよい。供給ヘッド部分は、心臓補助システムのヘッド部分、例えば、センサアセンブリと、ポンプユニットに隣接して配置された供給ラインのさらなるサブセクションとの間に配置された供給ラインのサブセクションであると理解され得る。導入開口部は、例えば、供給ラインから切り出されてもよい。導入開口部は、例えば、供給ラインに切り込まれたポンプユニットの方向に丸みを帯びた三つの窓によって、複数部品による窓開口部として構成され得る。輪郭付けられた部分は、供給ヘッド部分と供給ラインのさらなるサブセクションとの間に配置された供給ラインのセクションであると理解され得る。内面輪郭は、例えば、切開または塗布された構造、または部分的に異なる壁厚などの所定の材料構成、または特定の形状もしくは構造を有する挿入要素であってもよい。第一の位置は、流体流の流れ方向に対して第二の位置の上流であり得る。内面輪郭の丸みを帯びた部分は、凸状突出部であり得る。内面輪郭はまた、例えば、凹状の凹部の形態で、第一の位置にさらなる丸みを帯びた部分を有してもよい。
【０００８】
一実施形態によれば、第三の位置における輪郭付けられた部分の内径は、第二の位置における内径よりも大きくてもよい。第二の位置は、例えば、第三の位置と第一の位置との間に位置してもよい。したがって、第三の位置は、流体流の流れ方向に対して第二の位置の下流であり得る。内面輪郭はまた、例えば、さらなる凹状の凹部の形態で、第三の位置に丸みを帯びた部分を有してもよい。これは有利には、流体流の流れ挙動を変化させうるが、これにより、流体流の流れ分離が低減する。これは、流体流の圧力損失または摩擦を低減するのに有利であり、これにより、心臓補助システムのポンプ効率が増大し得る。
【０００９】
一実施形態によれば、第一の位置は、供給ヘッド部分と第二の位置との間の輪郭付けられた部分に配置され得る。第一の位置および第二の位置は、例えば、輪郭付けられた部分の長手方向軸に沿ったセクションであり得る。この配置は、有利には、構成を最適化することによって流れ挙動およびそれによる流体流の流れ分離を設定するために、輪郭付けられた部分の内径を輪郭付けられた部分の長手方向軸に沿って変更することを可能にする。
【００１０】
一実施形態によれば、第一の位置および第二の位置は、追加的または代替的に、輪郭付けられた部分の外周に沿って配置されてもよい。したがって、輪郭付けられた部分の断面もまた、少なくとも一つの丸みを帯びた部分を有してもよく、その結果、流体流の流れ挙動も有利に設定され得る。
【００１１】
一実施形態によれば、輪郭付けられた部分の長さは、輪郭付けられた部分の内径の最大二倍に対応してもよい。輪郭付けられた部分の長さは、特に、公差範囲内の供給ラインの半径に対応し得る。供給ラインは、一定の半径を有してもよい。公差範囲は、例えば、供給ラインの半径から２０％以下の偏差であると理解され得る。したがって、流れ挙動の局所的に限定された設定が可能である。有利なことに、供給ラインのさらなる下流、すなわち、輪郭付けられた部分とポンプユニットとの間の供給ラインのサブセクションにおける圧力損失もまた、分離の抑制の結果、下流の流体流の乱流が少なくなるために少ない。
【００１２】
一実施形態によれば、第二の位置における輪郭付けられた部分の内径は、第一の位置における内径よりも最大五分の一小さくてもよい。これにより、有利には、設置空間を増大させることなく、流れ挙動を設定し、流体流が輪郭付けられた部分を通して搬送されるよう導くことが可能となる。
【００１３】
さらに、内面輪郭は回転対称に形成されてもよい。例えば、供給ライン内に回転対称に流入する場合、これは、流れ分離を最小化し、したがって圧力損失を低減するのに有利である。
【００１４】
一実施形態によれば、第一の位置における輪郭付けられた部分の壁厚は、第二の位置における壁厚よりも小さくてもよい。代替的または追加的に、内面輪郭は、輪郭付けられた部分の挿入要素として構成されてもよい。どちらの実施形態も、有利なことに、輪郭付けられた部分の単純かつ費用効果の高い実現を可能にする。
【００１５】
さらに、一実施形態によれば、供給ヘッド部分の導入開口部の少なくとも一つの入口縁は丸みを帯びていてもよい。これは有利には、導入開口部における圧力損失を低減する。
【００１６】
一実施形態によれば、輪郭付けられた部分は、一定の外径を有してもよい。これは有利には、コンパクトな設計を可能にするが、これは特に、低侵襲性移植のための心臓補助システムと併せて供給ラインを使用する場合に有利である。
【００１７】
本発明はさらに、前述の供給ラインの実施形態を有する心臓補助システムを提示する。
【００１８】
心臓補助システム用の供給ラインを製造するための方法も提示される。供給ラインは、流体流を心臓補助システムのポンプユニットに導くように構成される。方法は、形成工程を含む。形成工程では、流体流を供給ラインに導入するための少なくとも一つの導入開口部を有する供給ヘッド部分が形成される。さらに、形成工程では、内面輪郭を有する輪郭付けられた部分が形成され、輪郭付けられた部分は、供給ヘッド部分に隣接して配置され、第一の位置における輪郭付けられた部分の内径は、第二の位置における内径よりも大きく、内面輪郭は、第二の位置に内径を低減するための丸みを帯びた部分を有する。
【００１９】
供給ラインは、例えば、管から切り出されてもよく、または、供給ラインは、ホースとして構成されて、輪郭付けられた部分および内面輪郭を構成するための挿入要素を備えてもよい。前述の滑り軸受デバイスの実施形態は有利なことに、本方法を実行することによって製造することができる。
【００２０】
本明細書に提案されるアプローチの設計例は、図面に示されており、以下の記述においてより詳細に説明される。
【図面の簡単な説明】
【００２１】
【図１】図１は、供給ラインを有する心臓補助システムの概略図である。
【図２】図２は、一設計例による供給ラインの輪郭付けられた部分の一部の概略図である。
【図３】図３は、一設計例による供給ラインの一部の概略図である。
【図４】図４は、一設計例による供給ラインの一部の概略図である。
【図５】図５は、一定の内径を有するホースと比較して、丸みを帯びた部分の実装の効果を可視化したものである。
【図６】図６は、一定の内径を有するホースと比較して、丸みを帯びた部分の実装の効果を可視化したものである。
【図７】図７は、一設計例による供給ラインの輪郭付けられた部分の一部の概略図である。
【図８】図８は、一設計例による供給ラインの輪郭付けられた部分の内面輪郭の一部の概略図である。
【図９】図９は、一設計例による心臓補助システム用の供給ラインを製造するための方法のフロー図である。
【発明を実施するための形態】
【００２２】
本発明の好ましい設計例の以下の説明では、同様のまたは類似の参照符号が、様々な図に示される要素に使用されるが、これは類似の効果を有しており、これらの要素の繰り返しの記載は省略される。
【００２３】
図１は、一設計例による供給ライン１０５を有する心臓補助システム１００の概略図を示す。図は、大動脈弁位置に対する左心室心臓補助システム、左心室補助装置（ＬＶＡＤ）として例示される、心臓補助システム１００の斜視図を示す。本明細書に示す実質的に一定の外径を有する心臓補助システム１００の細長い軸設計は、カテーテルによって血管、大動脈内に単純に配置するための、心臓補助システム１００の経大腿移植または経大動脈移植を可能にする。
【００２４】
大動脈弁位置の構成に対応して、供給ライン１０５は、例えば、長手方向軸の傾斜または湾曲を有し、したがってわずかに湾曲した形状を有する。供給ライン１０５に加えて、心臓補助システムはポンプユニット１１０を備える。ヘッドユニット１１５、ならびにハウジングセクション１２０および固定フレーム１２５も一例として示されている。供給ライン１０５は、ヘッドユニット１１５とポンプユニット１１０との間に配置される。ポンプユニット１１０は、供給ライン１０５から離れた端部において、固定フレーム１２５が取り付けられるハウジングセクション１２０に接続される。
【００２５】
一設計例によれば、供給ライン１０５は、流体流を心臓補助システム１００のポンプユニット１１０に導くように構成される。供給ラインは、供給ヘッド部分１３０および輪郭付けられた部分１３５を備える。供給ヘッド部分１３０は、流体流を供給ライン１０５に導入するための少なくとも一つの導入開口部１４０を備える。輪郭付けられた部分１３５は、内面輪郭を有する。輪郭付けられた部分１３５は、供給ヘッド部分１３０に隣接して配置される。流れ方向に見ると、第一の位置における輪郭付けられた部分１３５の内径は、第二の位置における内径よりも大きい。内面輪郭は、第二の位置に内径を低減するための丸みを帯びた部分を有する。輪郭付けられた部分１３５の構成の設計例を、以下の図２〜９を参照して説明する。
【００２６】
供給ヘッド部分１３０および輪郭付けられた部分１３５は、例として本明細書に示す設計例に概説されている。特に、輪郭付けられた部分１３５は、本明細書に示す供給ライン１０５のより小さい部分またはより大きい部分を任意選択的に覆う。埋め込まれた状態の心臓補助システム１００では、供給ヘッド部分１３０および輪郭付けられた部分１３５は左心室に配置される。供給ライン１０５のさらなるセクションは、大動脈弁を通して導かれ、ポンプユニット１１０を有する心臓補助システム１００のセクションは、大動脈のセクション内に配置される。ポンプユニット１１０の領域内のポンプ出口１４５は、供給ライン１０５を通して搬送される流体流を大動脈に導く。例として、ラベル１５０は、心臓補助システム１００を位置付けるために供給ライン１０５が通過する、心臓弁、例えば大動脈弁の位置を示している。
【００２７】
本明細書に示す設計例によれば、供給ヘッド部分１３０の導入開口部１４０の少なくとも一つの入口縁は丸みを帯びている。例として、本明細書の導入開口部１４０は、供給ヘッド部分１３０に切り込まれた窓形状の入口として構成される。
【００２８】
本明細書に示す設計例によれば、輪郭付けられた部分１３５の長さは、公差範囲内の供給ライン１０５の半径に対応する。公差範囲は、供給ラインの半径から２０％以下の偏差であると理解される。
【００２９】
例として本明細書に示す心臓補助システム１００などの、設置空間の点で限定され、かつ低侵襲性移植が可能である心臓補助システムは、所定のポンプ効率で比較的低い電力消費量を有する。効率は、ポンプユニット１１０のポンプの摩擦によって制限される。流体流が心室内の供給ヘッド部分１３０の導入開口部１４０からポンプユニット１１０に導かれるのに伴う供給ライン１０５の圧力損失または摩擦は、供給ライン１０５の構成を介して調節され得る。この目的のために、入口開口部１４０の入口縁は、圧力損失を低減するために丸みを帯びている。これだけでは流れ分離を防止することはできない。本明細書に提示されるアプローチに従って構成される輪郭付けられた部分１３５の形態の入口内面輪郭を有することにより、流れ分離が抑制され、結果として圧力損失が低減される。対応して構成される入口内面輪郭の設計例について、以下に説明する。
【００３０】
図２は、一設計例による供給ラインの輪郭付けられた部分１３５の一部の概略図を示す。図は、輪郭付けられた部分１３５と内面輪郭２０５の寸法関係の例を示している。図は、輪郭付けられた部分１３５の半分の軸方向セクションを示す。第一の位置２１５における輪郭付けられた部分１３５の内径２１０は、第二の位置２２０における内径２１０よりも大きい。内径２１０を低減するために、内面輪郭２０５は、軸方向に円弧状の内壁プロファイルの形態の丸みを帯びた部分２２５を第二の位置２２０に有する。本明細書に示す設計例によれば、第一の位置２１５は、輪郭付けられた部分１３５の長手方向軸に沿った輪郭付けられた部分１３５上の位置を示し、第二の位置２１５は、長手方向軸に沿った輪郭付けられた部分１３５上のさらなる位置を示す。本明細書に示す設計例では、長手方向軸は、輪郭付けられた部分１３５の回転軸２３０に対応する。
【００３１】
本明細書に示す設計例によれば、第一の位置２１５は、供給ヘッド部分と第二の位置２２０との間の輪郭付けられた部分１３５に配置される。供給ヘッド部分を通して導入され、供給ラインを通して、したがって輪郭付けられた部分１３５を通してポンプユニットの方向に導かれる流体流の流れ方向に対して、第一の位置２１５は第二の位置２２０の上流に配置される。
【００３２】
さらに、本明細書に示す設計例によれば、第三の位置２３５における輪郭付けられた部分２３５の内径は、第二の位置２２０における内径よりも大きい。
【００３３】
本明細書に示す設計例によれば、第二の位置２２０における輪郭付けられた部分１３５の内径は、第一の位置２１５における内径よりも最大１／５小さい。図２では、このことは内径の五分の一を示すラベル２４０によって示されている。内面輪郭２０５の丸みを帯びた部分２２５は、内径の最大五分の一の範囲の凸状突出部として対応して構成され、このことは、ラベル２４０によってさらに可視化されている。
【００３４】
一設計例によれば、内面輪郭２０５は、回転対称となるように構成される。回転軸２３０に対して本明細書に示す内面輪郭２０５の一部の反対側である輪郭付けられた部分１３５の一部は、回転対称に構成された内面輪郭２０５を対応して有する。
【００３５】
本明細書に示す輪郭付けられた部分１３５および内面輪郭２０５の構成は、そうでなければ入口縁の下流に展開され得る、供給ラインにおける流体流の流れ分離を低減または抑制することを可能にする。輪郭付けられた部分１３５の外径２４５は一定であり、供給ラインの設置空間の拡張が有利に回避される。本明細書に示す輪郭付けられた部分１３５および内面輪郭２０５の設計例を使用することにより、搬送される流体流の圧力損失が低減される。流体流の入口流れ、したがって流れ挙動は、輪郭付けられた部分１３５によって局所的にのみ配向される。輪郭付けられた部分１３５は、この設計例では、供給ラインの内径の最大二倍に対応する長さを任意選択的に有する。輪郭付けられた部分１３５の構成のために、さらなる下流の流体流の圧力損失は、内面輪郭を有さない一定の内径を有する供給ラインにおけるよりも少ないが、これは、分離の抑制または低減の結果、下流の乱流が少なくなるからである。内面輪郭２０５は、流れ分離が供給ラインの半径の最大四倍の長さにわたって大きく抑制されるように構成される。供給ラインの局所外径２４５は、所定の壁厚によって制限される。供給ヘッド部分の導入開口部に隣接して、入口縁は凸状に丸みを帯びて流れ分離を低減する。本明細書に示す構成などの内面輪郭２０５の構成最適化は、図８を参照して示されるように、回転対称である、または代替的に回転角に依存しなくてもよい。本明細書に示す設計例によれば、記載の入口縁の丸みを帯びた部分に依存せず、内面輪郭２０５の輪郭プロファイルは、第一の位置２１５、第二の位置２２０、第三の位置２３５および丸みを帯びた部分２２５の助けを借りて本明細書に示すように、一定の壁厚と共に、二つの凹面および一つの凸面の構成最適化を有する。この目的のために、壁内部輪郭は、壁内径に対して最大五分の四の局所的な壁内径が輪郭付けられた部分１３５の一定の壁厚において達成されるように任意選択的に構成される。
【００３６】
図３は、一設計例による供給ライン１０５の一部の概略図を示す。図は、供給ライン１０５を通して搬送される流体流の流速に基づいて入口領域３１０の入口縁における流れ分離３０５を可視化したものを示している。本明細書に示す入口領域３１０は、導入開口部に隣接した供給ラインの一部分のセクションに対応する。スケール３１５は、流体流の流速を示す。流れ分離３０５はまた、流速がゼロに等しいラベル３２０によって示されるラインによっても示されている。したがって、ラベル３２０によって示される入口領域３１０のセクションは、「ゼロ速度ライン」とも称され得る。本明細書に示す流体流の流れ分離３０５は、前述の図および以下の図を参照して記載する内面輪郭および輪郭付けられた部分の設計例を使用して低減することができる。
【００３７】
図４は、一設計例による供給ライン１０５の一部の概略図を示す。図は、前述の図を参照して説明される供給ラインと類似または同一である供給ライン１０５の断面を示す。図４は、供給ライン１０５の入口領域の構成最適化を示している。本明細書に示す供給ライン１０５のセクションは、供給ヘッド部分の導入開口部に隣接した輪郭付けられた部分の入口領域４０５を示す。したがって、入口縁に隣接した領域４１０は、丸みを帯びている。図はまた、内面輪郭２０５を示す。流れ分離の低減の点で、領域４１０の丸みを帯びた部分および内面輪郭２０５の構成は、入口領域の局所的なトポロジー適合とも称され得る。
【００３８】
図５は、一設計例による供給ライン１０５の一部の概略図を示す。図は、流速を介して検出可能な供給ライン１０５の流れ分離に基づく流体流の流れ挙動の二つのシナリオを示している。スケール３１５は、流体流の流速を示す。上の供給ライン１０５は、入口領域に流れ分離を伴う供給ライン１０５の流体流の流速の例を示しており、これは、図３を参照して説明したように、「ゼロ速度ライン」の助けを借りて検出され得る。下の供給ライン１０５のシナリオは、ラベル５０５で示されるように入口領域の流れ分離が防止される流体流の流速の例を示している。下のシナリオは、図２を参照して説明した供給ライン１０５の輪郭付けられた部分および内面輪郭の構成に類似しているか、または対応する。
【００３９】
図６は、一設計例による供給ライン１０５の一部の概略図を示す。図は、スケール６０５によって可視化される、乱流の見かけ粘度、渦粘度に基づく流体流の流れ挙動の二つのシナリオを示す。乱流の粘度の図はまた、供給ライン１０５の入口領域における流体流の摩擦も示す。上の供給ライン１０５は、入口領域における流れ分離を伴う供給ライン１０５の流体流の渦粘度の例を示す。下の供給ライン１０５のシナリオは、同じく供給ライン１０５の入口領域の下流の領域における摩擦の低減の例を示す。下のシナリオは、図２を参照して説明した供給ライン１０５の輪郭付けられた部分および内面輪郭の構成に類似しているか、または対応する。
【００４０】
図７は、一設計例による供給ラインの輪郭付けられた部分１３５の一部の概略図を示す。図は、輪郭付けられた部分１３５の断面を示している。本明細書に示す輪郭付けられた部分１３５は、図２を参照して説明した輪郭付けられた部分と類似または同一である。図７はまた、丸みを帯びた部分が回転対称ではない例も示す。
【００４１】
図８は、一設計例による供給ラインの輪郭付けられた部分の内面輪郭２０５の一部の概略図を示す。本明細書に示す設計例によれば、内面輪郭２０５は、輪郭付けられた部分の挿入要素として構成される。一例として、本明細書の内面輪郭２０５は、一緒に輪郭付けられた部分の内面輪郭２０５を形成する、二つの非回転対称の内面輪郭部品８０５、８１０を有する二部品挿入要素として構成される。二部品挿入要素は、入口開口部１４０が二つの開放窓と一つの閉鎖窓を有する場合の例とすることができる。本明細書の図は、挿入要素としての内面輪郭２０５の異なる図を示している。上図は、内面輪郭部品８０５を通る断面を示している。中央図は、二つの表面輪郭部品８０５および８１０を側面図で示しており、下図は、内面輪郭部品８１０を通る断面を示している。本明細書に示す内面輪郭部品８０５および８１０は、個別にまたは一緒に、供給ラインの輪郭付けられた部分の内面輪郭２０５を形成する。したがって、それらは、流れ分離を低減するための、供給ラインの非回転対称最適化と称され得る。
【００４２】
図９は、一設計例による心臓補助システムのポンプユニット用の供給ラインを製造するための方法９００のフロー図を示す。供給ラインは、流体流を心臓補助システムのポンプユニットに導くように構成される。方法９００は、形成ステップ９０１を含む。形成ステップ９０１では、流体流を供給ラインに導入するための少なくとも一つの導入開口部を有する供給ヘッド部分が形成される。内面輪郭を有する、供給ヘッド部分に隣接して配置される輪郭付けられた部分もまた形成される。第一の位置における輪郭付けられた部分の内径は、第二の位置における内径よりも大きい。内面輪郭は、第二の位置に内径を低減するための丸みを帯びた部分を有する。
【００４３】
形成ステップ９０１では、供給ヘッド部分および輪郭付けられた部分が管から切り出される。追加的または代替的に、輪郭付けられた部分の内面輪郭は、供給ラインの挿入要素として構成される。
【図１】
2021531148.tif 000003
【図２】
2021531148.tif 000004
【図３】
2021531148.tif 000005
【図４】
2021531148.tif 000006
【図５】
2021531148.tif 000007
【図６】
2021531148.tif 000008
【図７】
2021531148.tif 000009
【図８】
2021531148.tif 000010
【図９】
2021531148.tif 000011
【手続補正書】
【提出日】令和2年9月30日(2020.9.30)
【手続補正１】
【補正対象書類名】特許請求の範囲
【補正対象項目名】全文
【補正方法】変更
【補正の内容】
【特許請求の範囲】
【請求項１】
心臓補助システム（１００）のポンプユニット（１１０）用の供給ライン（１０５）であって、前記供給ライン（１０５）が流体流を前記心臓補助システム（１００）の前記ポンプユニット（１１０）に導くように構成され、前記供給ライン（１０５）が、
前記流体流を前記供給ライン（１０５）に導入するための少なくとも一つの導入開口部（１４０）を有する供給ヘッド部分（１３０）と、
内面輪郭（２０５）を有する輪郭付けられた部分（１３５）であって、前記輪郭付けられた部分（１３５）が前記供給ヘッド部分（１３０）に隣接して配置され、第一の位置（２１５）における前記輪郭付けられた部分（１３５）の内径（２１０）が、第二の位置（２２０）における前記内径（２１０）よりも大きく、前記輪郭付けられた部分の前記内径（２１０）が、前記第一の位置（２１５）において最大値を有し、前記第二の位置（２２０）において最小値を有し、前記内面輪郭（２０５）が前記第二の位置（２２０）に前記内径（２１０）を低減するための丸みを帯びた部分（２２５）を有する、輪郭付けられた部分と、を有し、
前記第二の位置（２２０）における前記輪郭付けられた部分（１３５）の内径が、前記第一の位置（２１５）における前記内径よりも最大五分の一小さく、
第三の位置（２３５）における前記輪郭付けられた部分（１３５）の前記内径（２１０）が、前記第二の位置（２２０）における前記内径（２１０）よりも大きく、前記第二の位置（２２０）が前記第三の位置（２３５）と前記第一の位置（２１５）との間に位置することを特徴とする、供給ライン（１０５）。
【請求項２】
前記第一の位置（２１５）が、前記供給ヘッド部分（１３０）と前記第二の位置（２２０）との間の前記輪郭付けられた部分（１３５）に位置する、請求項１に記載の供給ライン（１０５）。
【請求項３】
前記輪郭付けられた部分（１３５）の長さが、前記輪郭付けられた部分（１３５）の前記内径（２１０）の最大二倍に対応し、特に、前記輪郭付けられた部分（１３５）の前記長さが、公差範囲内の前記供給ライン（１０５）の半径に対応する、請求項１または２のいずれか一項に記載の供給ライン（１０５）。
【請求項４】
前記内面輪郭（２０５）が回転対称に形成される、請求項１〜３のいずれか一項に記載の供給ライン（１０５）。
【請求項５】
前記第一の位置（２１５）における前記輪郭付けられた部分（１３５）の壁厚が、前記第二の位置（２２０）における前記壁厚よりも小さい、および／または前記内面輪郭（２０５）が前記輪郭付けられた部分（１３５）の挿入要素（８０５、８１０）として構成される、請求項１〜４のいずれか一項に記載の供給ライン（１０５）。
【請求項６】
前記供給ヘッド部分（１３０）の前記導入開口部（１４０）の少なくとも一つの入口縁が丸みを帯びている、請求項１〜５のいずれか一項に記載の供給ライン（１０５）。
【請求項７】
前記輪郭付けられた部分（１３５）が一定の外径（２４５）を有する、請求項１〜６のいずれか一項に記載の供給ライン（１０５）。
【請求項８】
請求項１〜７のいずれか一項に記載の供給ライン（１０５）を有する心臓補助システム（１００）。
【請求項９】
請求項１〜８のいずれか一項に記載の心臓補助システム（１００）のポンプユニット（１１０）用の供給ライン（１０５）を製造するための方法（９００）であって、前記供給ライン（１０５）が、流体流を前記心臓補助システム（１００）の前記ポンプユニット（１１０）に導くように構成され、前記方法（９００）が、
前記流体流を前記供給ライン（１０５）に導入するための少なくとも一つの導入開口部（１４０）を有する供給ヘッド部分（１３０）および内部輪郭（２０５）を有する輪郭付けられた部分（１３５）を形成する工程（９０１）であって、前記輪郭付けられた部分（１３５）を前記供給ヘッド部分（１３０）に隣接して配置し、第一の位置（２１５）における前記輪郭付けられた部分（１３５）の内径（２１０）が、第二の位置（２２０）における前記内径（２１０）よりも大きく、前記内面輪郭（２０５）が、前記第二の部分（２２０）に前記内径（２１０）を低減するための丸みを帯びた部分（２２５）を有するように形成する工程（９０１）を含み、前記第二の位置（２２０）における前記輪郭付けられた部分（１３５）の内径が、前記第一の位置（２１５）における前記内径よりも最大五分の一小さいように設計され、第三の位置（２３５）における前記輪郭付けられた部分（１３５）の前記内径（２１０）が、前記第二の位置（２２０）における前記内径（２１０）よりも大きく、前記第二の位置（２２０）が前記第三の位置（２３５）と前記第一の位置（２１５）との間に位置することを特徴とする、方法（９００）。
【国際調査報告】
2021531148.tif 000012
2021531148.tif 000013
2021531148.tif 000014
2021531148.tif 000015